(57)【要約】【解決手段】一意なディスクＩＤを利用してディスク記録媒体の所有権を移転するためのシステム及び方法であって、不変に記録されたディスクＩＤ２３０を含むディスク記録媒体１１０、機器ＩＤ１２０を含むユーザコンソール１１５、ネットワーク１２５、及びユーザデータベース１３５及びディスクデータベース１４０を管理するホストサーバ１３０を含む。ディスク記録媒体１１０に記録されたソフトウェアを購入すると、一意なディスクＩＤ２３０及びユーザＩＤがユーザコンソール１１５からネットワーク１２５を介してホストサーバ１３０へ送信される。ホストサーバ１３０は、ディスク記録媒体１１０に存在するプログラムに対するアクセス許可をユーザコンソール１１５に与えるとともに、ディスク所有権の移転処理を実行する。【選択図】図１
2004530189.tif 000002
【特許請求の範囲】
【請求項１】
記録媒体の所有権の移転を管理するシステムであって、
不変に記録されたディスク識別子を含む記録媒体と、
前記記録媒体を読み出し、ネットワークを介して前記ディスク識別子を送信可能なユーザコンソールと、
前記ディスク識別子を前記ネットワークから受信するように構成されたホストサーバと、を備え、
前記ホストサーバは、受信した前記ディスク識別子と所有権情報とを比較し、所有権の移転取引を処理可能であることを特徴とするシステム。
【請求項２】
前記所有権の移転取引は、支払取引を含むことを特徴とする請求項１に記載のシステム。
【請求項３】
前記所有権情報は、前記記録媒体の所有者を識別することを特徴とする請求項２に記載のシステム。
【請求項４】
前記支払取引は、前記記録媒体の前記所有者に対する支払であることを特徴とする請求項３に記載のシステム。
【請求項５】
前記支払取引は、前記記録媒体のコンテンツの開発主体に対する使用料の支払であることを特徴とする請求項２に記載のシステム。
【請求項６】
前記支払取引は、前記記録媒体の発行主体に対する使用料の支払であることを特徴とする請求項２に記載のシステム。
【請求項７】
前記支払取引は、前記ユーザコンソールの開発主体に対する使用料の支払である特徴とする請求項２に記載のシステム。
【請求項８】
前記ホストサーバは、前記所有者情報を記録するユーザデータベースにアクセスするように構成されることを特徴とする請求項１に記載のシステム。
【請求項９】
前記ホストサーバは、複数のディスク識別子を記録するディスクデータベースにアクセスするように構成されることを特徴とする請求項１に記載のシステム。
【請求項１０】
送信された前記ディスク識別子が前記所有権情報と合致し、前記所有権情報が所有権の移転に対する承認を含む場合、前記ホストサーバは所有権の移転を処理することを特徴とする請求項１に記載のシステム。
【請求項１１】
送信された前記ディスク識別子が前記所有権情報と合致し、前記所有権情報が所有権の移転に対する承認を含まない場合、前記ホストサーバは前記所有権の移転を処理しないことを特徴とする請求項１に記載のシステム。
【請求項１２】
前記所有権の移転取引は、前記記録媒体のコンテンツへのアクセスに対する承認の移転を含むことを特徴とする請求項１に記載のシステム。
【請求項１３】
記録媒体のコンテンツの所有権の移転を管理する方法であって、
ホストサーバに記録媒体の記録媒体識別子を送信するステップと、
送信された前記記録媒体識別子と合致する前記記録媒体の前記コンテンツの所有者を検索するステップと、
前記所有者が所有権の移転を承認していた場合、新しい所有者に所有権を移転するステップと、
前記所有者が所有権の移転を承認していなかった場合、ユーザコンソールに所有権の否認を送信するステップと、
を備えることを特徴とする方法。
【請求項１４】
前記新しい所有者への所有権の移転は、前記所有者に対する支払取引を含むことを特徴とする請求項１３に記載の方法。
【請求項１５】
前記新しい所有者への所有権の移転は、前記記録媒体のコンテンツの開発主体に対する使用料の支払を含むことを特徴とする請求項１３に記載の方法。
【請求項１６】
前記新しい所有者への所有権の移転は、前記記録媒体の発行主体に対する使用料の支払を含むことを特徴とする請求項１３に記載の方法。
【請求項１７】
前記新しい所有者への所有権の移転は、前記ユーザコンソールの開発主体に対する使用料の支払を含むことを特徴とする請求項１３に記載の方法。
【請求項１８】
前記新しい所有者への所有権の移転は、前記記録媒体のコンテンツへのアクセスに対する承認の移転を含むことを特徴とする請求項１３に記載の方法。
【請求項１９】
前記送信された前記記録媒体識別子と合致する前記記録媒体の前記コンテンツの所有者を検索するステップは、前記ホストサーバによりユーザデータベースにアクセスするステップを含むことを特徴とする請求項１３に記載の方法。
【請求項２０】
前記送信された前記記録媒体識別子と合致する前記記録媒体の前記コンテンツの所有者を検索するステップは、前記ホストサーバによりディスクデータベースにアクセスするステップを含むことを特徴とする請求項１３に記載の方法。
【請求項２１】
記録されたコンテンツの所有権の移転を管理するシステムであって、
ネットワークと、
前記記録されたコンテンツの識別子と、
前記記録されたコンテンツの識別子を前記ネットワークから受信するように構成されたホストサーバと、を備え、
前記ホストサーバは、受信した前記記録されたコンテンツの識別子と所有権情報とを比較し、所有権の移転取引を処理可能であることを特徴とするシステム。
【請求項２２】
前記所有権の移転取引は、支払取引を含むことを特徴とする請求項２１に記載のシステム。
【請求項２３】
前記所有権情報は、前記記録されたコンテンツの識別子により識別される所有者を含むことを特徴とする請求項２２に記載のシステム。
【請求項２４】
前記支払取引は、前記記録されたコンテンツの識別子により識別される前記所有者に対する支払であることを特徴とする請求項２３に記載のシステム。
【請求項２５】
前記支払取引は、前記記録されたコンテンツの識別子により識別される発行主体に対する使用料の支払であることを特徴とする請求項２２に記載のシステム。
【請求項２６】
前記ホストサーバは、前記所有者情報を記録するユーザデータベースにアクセスするように構成されることを特徴とする請求項２１に記載のシステム。
【請求項２７】
前記ホストサーバは、記録されたコンテンツの複数のディスク識別子を記録するコンテンツデータベースにアクセスするように構成されることを特徴とする請求項２１に記載のシステム。
【請求項２８】
送信された前記記録されたコンテンツの識別子が前記所有権情報と合致し、前記所有権情報が所有権の移転に対する承認を含む場合、前記ホストサーバは所有権の移転を処理することを特徴とする請求項２１に記載のシステム。
【請求項２９】
送信された前記記録されたコンテンツの識別子が前記所有権情報と合致し、前記所有権情報が所有権の移転に対する承認を含まない場合、前記ホストサーバは前記所有権の移転を処理しないことを特徴とする請求項２１に記載のシステム。
【請求項３０】
前記記録されたコンテンツは、ディスクに記録されることを特徴とする請求項２１に記載のシステム。
【請求項３１】
前記記録されたコンテンツの識別子は、ディスク識別子であることを特徴とする請求項２１に記載のシステム。
【請求項３２】
記録されたコンテンツの所有権の移転を、ネットワークを介して管理する方法であって、
ホストサーバに記録されたコンテンツの識別子を送信するステップと、
送信された前記記録されたコンテンツの識別子と合致する前記記録されたコンテンツの識別子により識別される所有者を検索するステップと、
前記記録されたコンテンツの識別子により識別される前記所有者が所有権の移転を承認していた場合、新しい所有者に所有権を移転するステップと、
前記記録されたコンテンツの識別子により識別される前記所有者が所有権の移転を承認していなかった場合、所有権の否認を送信するステップと、
を備えることを特徴とする方法。
【請求項３３】
前記新しい所有者への所有権の移転は、前記記録されたコンテンツの識別子により識別される前記所有者に対する支払取引を含むことを特徴とする請求項３２に記載の方法。
【請求項３４】
前記新しい所有者への所有権の移転は、前記記録されたコンテンツの識別子により識別される発行主体に対する使用料の支払を含むことを特徴とする請求項３２に記載の方法。
【請求項３５】
前記送信された前記記録されたコンテンツの識別子と合致する前記記録されたコンテンツの識別子により識別される所有者を検索するステップは、前記ホストサーバによりユーザデータベースにアクセスするステップを含むことを特徴とする請求項３２に記載の方法。
【請求項３６】
前記送信された前記記録されたコンテンツの識別子と合致する前記記録されたコンテンツの識別子により識別される所有者を検索するステップは、前記ホストサーバによりコンテンツデータベースにアクセスするステップを含むことを特徴とする請求項３２に記載の方法。
【請求項３７】
前記記録されたコンテンツは、ディスクに記録されることを特徴とする請求項３２に記載の方法。
【請求項３８】
前記記録されたコンテンツの識別子は、ディスク識別子であることを特徴とする請求項３２に記載の方法。
【発明の詳細な説明】
【技術分野】
【０００１】
本出願は、米国特許仮出願第６０／２７０，２３２号（発明の名称：「ディスク及びユーザＩＤに基づいたディスク所有権の移転のためのシステム及び方法」、２００１年２月２０日出願）に関連し、その優先権を主張する。また、本出願は、米国特許出願第０９／８９４，１８２号（発明の名称：「ディスク及びユーザＩＤに基づいたインセンティブポイントシステムに利用可能な装置及び方法」、２００１年６月２８日出願）に関連する。関連出願の主題は、ここに引用により組み込まれる。これらの関連出願は、同じ譲受人に譲渡されている。
【０００２】
本発明は、一般的には、電子処理システムに関し、特に、ディスク記録媒体に対するアクセスを認証するための一意なディスク識別子を利用したディスク所有権移転システムに関する。
【背景技術】
【０００３】
ＣＤ−ＲＯＭ、ＤＶＤ−ＲＯＭ記録媒体などのディスク記録媒体は、商用のソフトウェアプログラムのための典型的な記録装置である。たとえば、電子ゲームシステムのゲームの発行者及び製造者は、ＣＤ−ＲＯＭなどの読取り専用記録装置を、製品の頒布及び販売に利用している。ディスクは、ユーザの間で広まり、共有されるが、商用のソフトウェア製品の潜在的な複数のユーザに対して適切に訴えかける効果的なシステムは存在しない。
【０００４】
ディスクが何の制約もなく共有可能であるとしても、ディスクは小さなユーザのグループの間で共有されるのみであり、ユーザの集団全体にわたって広く流通することはない。ソフトウェア製品が広く共有されないので、他者は自身のための複製を購入しなければならない。ソフトウェア製品は広く頒布するための広告ともならないので、より大きな消費者集団の可能性も限定される。例えば、ゲームソフトウェアの発行者及び頒布者は、自身の製品が広く消費者集団に広告され、広い消費者集団により購入されることを望む。
【０００５】
ディスク記録媒体に記録されたソフトウェア製品の所有者がディスク記録媒体を他者に販売するのを促進するシステムが、ソフトウェア製品の発行者、頒布者及びユーザから求められる。ユーザがディスクの製品に飽きても、そのディスクを捨てて、おそらく二度と見ることがないようになる代わりに、ユーザは他のユーザに所有権を移転する機会を提供され得る。このようなシステムは、ディスクに記録されたソフトウェア製品の発行者及び頒布者に、（１）製品の頒布を促進し、（２）将来さらに製品を購入するかもしれない他のユーザを誘引する点で、利益を与える。さらに、このようなシステムは、ソフトウェア製品の所有者に対しても、所有者がソフトウェア製品の販売によりロイヤルティを徴収する方法を提供する点で、利益を与える。最後に、このようなシステムは、他の潜在的なソフトウェア製品のユーザに対しても、小売価格以下の価格で中古のソフトウェア製品を購入するシステムを提供する点で、利益を与える。
【発明の開示】
【０００６】
電子処理システムは、ディスク識別子が不変に記録されたディスク記録媒体と、機器識別子が付与されたユーザコンソールと、ネットワークと、ユーザデータベース及びディスクデータベースを管理するホストサーバと、を含む。ユーザコンソールは、機器識別子及びディスク識別子を含むデータを記録するためのメモリカード又は他の着脱可能な記録媒体を含む。このコンソールを最初に使用するとき、ユーザはホストサーバからユーザ情報の入力を要求され、ユーザ識別子がユーザに割り当てられる。ユーザ識別子の機能は機器識別子と交換可能であり、これらはユーザを識別するために利用されてもよい。
【０００７】
ユーザデータベースは、複数のユーザテーブルを含み、それぞれのユーザテーブルは、ユーザ識別子を含む。ユーザテーブルは、その他のユーザ情報、例えば、ユーザ名、住所、嗜好情報、及び複数のディスク識別子を含んでもよい。ディスクデータベースは、複数のディスクテーブルを含み、それぞれのディスクテーブルは、所有者承諾データフィールドを付随するディスク識別子を含む。ディスクテーブルは、その他のディスク情報、例えば、タイトル、発行者、譲渡料金、及びユーザ識別子を含んでもよい。所有者承諾データフィールドは、他のユーザへのディスク所有権の移転に関するデータを含む。
【０００８】
一形態において、ユーザコンソールは、ホストサーバに接続し、（１）ディスク記録媒体に存在するプログラムの実行許可を得るために、又、（２）他のユーザにディスク記録媒体の所有権を移転するために、ディスク記録媒体から読み出されたユーザ識別子及びディスク識別子を送信する。他の形態において、ユーザコンソールによりディスクが最初に起動されたときには、ユーザコンソールはホストサーバに接続してユーザ識別子及びディスク識別子を送信するが、最初のアクセス許可が得られた後は、次回以降のディスクセッションにおけるアクセス許可を得るために、メモリカードにディスク識別子及びユーザ識別子が記録される。ユーザコンソールは、この次回以降のディスクセッションにおいても、ホストサーバがディスク所有権の移転処理を実行可能とするために、ホストサーバに接続してもよい。
【０００９】
ホストサーバは、ユーザテーブルにおいて、送信されたユーザ識別子に関連づけられたディスク識別子と、送信されたディスク識別子を比較し、必要であれば、他のユーザ識別子に関連付けられた、記録されたディスク識別子と比較する。ホストサーバは、所有権の変更をユーザデータベース及びディスクデータベースに記録し、所有権移転及び課金処理を可能とする。
【発明を実施するための最良の形態】
【００１０】
図１は、本発明に係る電子処理システムの一形態のブロック図である。処理システムは、ディスク記録媒体（ディスク）１１０、ユーザコンソール１１５、セット（機器）識別子（ＩＤ）１２０、ネットワーク１２５、ホストサーバ１３０、ユーザデータベース（ＤＢ）１３５、ディスクデータベース（ＤＢ）１４０を含むが、これに限定されない。
【００１１】
ディスク１１０は、ＣＤ−ＲＯＭ又はＤＶＤ−ＲＯＭなどの読取り専用記録装置である。図２に関連して後で詳述するように、ディスクＩＤはディスク１１０を一意に識別するためにディスク１１０に記録される。
【００１２】
ユーザコンソール１１５は、電子ゲームシステム、一般目的のコンピュータ、セットトップボックスなど、ディスク１１０のコンテンツにアクセス可能な電子装置である。ユーザコンソール１１５は、ネットワーク１２５へのインタフェイスを有する。ネットワーク１２５は、ローカルエリアネットワーク（ＬＡＮ）、ワイドエリアネットワーク（ＷＡＮ）、無線ネットワーク、有線ネットワーク、又はインターネットであってもよい。インターネットは、互いに接続されたコンピュータ及びサーバの広域ネットワークであり、ネットワークサービスプロバイダを介してインターネットに接続されたユーザ間で、インターネットプロトコル（ＩＰ）データの伝送及び交換が可能である。ネットワークサービスプロバイダの例として、公衆交換電話網、ケーブルサービス提供主体、又は衛星サービス提供主体などがある。
【００１３】
ユーザコンソール１１５は、他の着脱可能な記録媒体、例えばメモリカード、フロッピー（登録商標）ディスク、又はハードディスクドライブなどからデータにアクセス可能に構成されてもよい。
【００１４】
ユーザコンソール１１５を最初に利用する際、ユーザは、ユーザコンソール１１５をホストサーバ１３０に登録する。ユーザコンソール１１５は、セットＩＤ１２０又はユーザＩＤのいずれかにより登録され識別されてもよい。ホストサーバ１３０は、セットＩＤ１２０、ユーザＩＤ、又はそれらの双方をユーザデータベース１３５に記録する。図５に関連して後で詳述するように、ユーザコンソール１１５のユーザは、最初に、ホストサーバ１３０からユーザの情報を入力するよう要求される。このユーザ情報は、ユーザとユーザＩＤを関連付けるために用いられる。本発明の好ましい形態において、ユーザＩＤはユーザを識別する。しかしながら、セットＩＤ１２０が、ユーザＩＤの代わりに、ユーザを識別するために用いられてもよい。
【００１５】
ホストサーバ１３０は、ユーザデータベース１３５及びディスクデータベース１４０にデータを記録する。データベースは、図３（Ａ）〜３（Ｂ）に関連して後で詳述される。
【００１６】
図２は、本発明に係るディスク１１０の一形態の図である。ディスク１１０は、データアクセス領域２１０、ディスクに一意なＩＤのアドレス（ディスクユニークＩＤアドレス）２２０、及びディスクに一意なＩＤ（ディスクユニークＩＤ）２３０を含むが、これに限定されない。ディスク１１０は、内径及び外径により区画されたデータアクセス領域２１０を有する。データは、一般には、データアクセス領域２１０の内部に記録される。データは、ソフトウェアプログラム、映像データ、音声データ、その他の形式のコンテンツを含んでもよい。図２は、ディスクユニークＩＤアドレス２２０及びディスクユニークＩＤ２３０がデータアクセス領域２１０の内部に記録されているが、データアクセス領域２１０の外側に記録されてもよい。
【００１７】
ディスクユニークＩＤアドレス２２０は、ディスクユニークＩＤ２３０のディスクアドレスを含む。ディスクユニークＩＤ２３０は、ディスク１１０を一意に識別する。ディスク１１０のコンテンツは、ディスク１１０に対するアクセス許可なしには、ユーザコンソール１１５又は他の装置上で再生することができない。アクセス指示は、ユーザコンソール１１５からホストサーバ１３０によりディスクユニークＩＤ２３０及びユーザＩＤが受信されると、ホストサーバ１３０からユーザコンソール１１５に送られる。アクセス許可及びディスク所有権の移転処理は、図４〜５に関連して後述される。
【００１８】
図３（Ａ）は、本発明に係る図１のユーザデータベース１３５の一形態を示す。ユーザデータベース１３５は、ユーザ情報を含むユーザテーブル３１０を有する。ユーザ情報は、ユーザＩＤを含み、その他、例えば、ユーザ名、住所、請求情報、及びユーザの嗜好情報などを含んでもよい。ユーザテーブル３１０は、それぞれのユーザＩＤに関連づけられた複数のディスクユニークＩＤを含んでもよい。それぞれのディスクユニークＩＤは、関連した所有者承諾データを有する。所有者承諾データは、他のユーザに対するアクセス許可の移転に関連した情報を含むデータフィールドである。
【００１９】
図３（Ｂ）は、本発明に係る図１のディスクデータベース１４０の一形態を示す。ディスクデータベース１４０は、ディスク情報を含むディスクテーブル３２０を有する。ディスク情報は、所有者承諾データを付随したディスクユニークＩＤを含み、その他、例えば、タイトル、発行者、タイプ、購入日、譲渡料金などを含んでもよい。ディスクテーブル３２０は、それぞれのディスクユニークＩＤに関連づけられたユーザＩＤを含んでもよい。譲渡料金データフィールドは、所有権を他のユーザに移転する際に課せられる課金額を含む。
【００２０】
譲渡料金データフィールドは、ディスクの所有権が移転されたときに課せられる料金に関連する他のデータを含んでもよい。例えば、所有権の譲渡は、ディスク１１０のコンテンツの開発主体、ディスク１１０の発行主体、又はそれらの双方に対する利用料の支払を含んでもよい。所有権の譲渡は、ユーザコンソール１１５の開発主体に対する利用料の支払を含んでもよい。ホストサーバ１３０は、開発主体及び発行主体に関する利用料課金情報を記録する他のデータベースをさらに管理するように構成されてもよい。
【００２１】
図４は、本発明の一形態に係る、ユーザがユーザコンソール１１５上でディスク１１０のアクセス許可を取得するための方法の手順を示すフローチャートである。まず、ユーザコンソール１１５は、ディスク１１０の基本データを読み出す（ステップ４０５）。ユーザコンソール１１５は、ディスクユニークＩＤがディスク１１０に記録されているか否かを決定する（ステップ４１０）。ディスクユニークＩＤアドレス２２０が存在しない場合、ステップ４６０へ続き、ディスクプログラムが実行される。しかし、ディスクユニークＩＤアドレス２２０が存在する場合は、ユーザコンソール１１５は、ディスクユニークＩＤアドレス２２０により与えられた場所にディスクユニークＩＤ２３０が記録されているか否かを判断する（ステップ４１５）。ディスクユニークＩＤ２３０が記録されていない場合、ディスクプログラムの実行は停止される（ステップ４２０）。ディスクユニークＩＤ２３０が記録されていれば、ディスクユニークＩＤ２３０がユーザコンソール１１５により読み出される（ステップ４２５）。ユーザコンソール１１５は、メモリカードが存在するか否かを判断する（ステップ４３０）。メモリカードは、ユーザコンソール１１５又は他のユーザコンソールに互換な着脱可能な記録装置であり、ユーザＩＤ及びディスクユニークＩＤ２３０などのデータを記録する。
【００２２】
図４では、ディスク１１０に対するアクセス許可を得るための２つの経路を示す。メモリカードがユーザコンソール１１５に存在しなければ、ディスクユニークＩＤ２３０及びユーザＩＤは、ディスク１１０が起動されるたびにホストサーバ１３０に送られる。メモリカードが存在する場合、ディスクユニークＩＤ２３０及びユーザＩＤは、ユーザが最初にディスク１１０を起動したときにのみホストサーバ１３０に送られる。同じユーザが次の機会にディスク１１０を起動すると、ホストサーバ１３０はディスク１１０にアクセスする必要はない。アクセス確立のために、ユーザＩＤ及びディスクユニークＩＤ２３０をホストサーバ１３０に送信する代わりに、メモリカードに記録されたユーザＩＤ及びディスクユニークＩＤ２３０が、ディスク１１０に対するアクセスを確立又は拒絶するために用いられる。
【００２３】
ステップ４３０において、ユーザコンソール１１５が、メモリカードが存在しないと判断した場合、ユーザコンソール１１５は、ホストサーバ１３０にディスクユニークＩＤを送信する（ステップ４３５）。また、ユーザＩＤがホストサーバ１３０に送信される（ステップ４４０）。ユーザ認証に関するアクセス指示が生成され、適切であれば、ディスク所有権の移転処理が実行され、ユーザデータベース１３５及びディスクデータベース１４０の適切なデータフィールドにディスク所有権の変更が記録される（ステップ４４５）。ステップ４４５の詳細は、図５に関連して詳述される。
【００２４】
ユーザコンソール１１５は、ホストサーバ１３０からアクセス指示を受信する（ステップ４５０）。ステップ４５５で、アクセス許可が承諾された場合、ディスクプログラムの実行を開始することができる（ステップ４６０）。しかし、アクセス許可が承諾されない場合、ディスクプログラムの実行は停止される（ステップ４２０）。アクセス許可及びアクセス拒否に関する詳細は、図５に関連して後述される。
【００２５】
ステップ４３０に戻り、ユーザコンソール１１５が、メモリカードが存在すると判断した場合、ユーザコンソール１１５は、メモリカードにディスクユニークＩＤが記録されているか否かを判断する（ステップ４６５）。ディスクユニークＩＤがメモリカードに記録されていると、ホストサーバ１３０に交信せずに、ディスクプログラムを実行することができる（ステップ４６０）。しかし、ユーザコンソール１１５が、メモリカードにディスクユニークＩＤ２３０が記録されていないと判断すると、ユーザコンソール１１５は、ディスクユニークＩＤ２３０をホストサーバ１３０に送る（ステップ４３５）。ユーザコンソール１１５は、ユーザＩＤをホストサーバ１３０に送る（ステップ４４０）。ユーザ認証に関するアクセス指示が生成され、適切であれば、ディスク所有権の移転処理が実行され、ユーザデータベース１３５及びディスクデータベース１４０の適切なデータフィールドにディスク所有権の変更が記録される（ステップ４４５）。ユーザコンソール１１５は、アクセス指示をホストサーバ１３０から受信する（ステップ４５０）。ステップ４５５で、ディスクアクセス許可が承諾された場合、ディスクユニークＩＤ２３０及びユーザＩＤがメモリカードに記録され（ステップ４７０）、ディスクプログラムが実行される（ステップ４６０）。つづいて、ユーザが次回にメモリカードが挿入された状態でディスク１１０を起動すると、ホストサーバ１３０はアクセス許可のために交信を必要としない。
【００２６】
図５は、本発明の一形態に係るディスクアクセス許可及びディスク所有権の移転処理方法の手順を示すフローチャートである。まず、ユーザコンソール１１５からホストサーバ１３０へのネットワーク接続が確立される（ステップ５０５）。次に、ホストサーバ１３０は、ユーザが初めてのユーザであるか否かを判断する（ステップ５１０）。ユーザが初めてのユーザであれば、ホストサーバ１３０は、ユーザに初期ユーザデータを要求する（ステップ５１５）。このとき、ユーザはホストサーバ１３０からユーザＩＤを付与される。ユーザが初めてのユーザでなければ、ステップ５１５はスキップされる。ステップ５２０及び５２５で、ホストサーバ１３０は、ユーザＩＤ（又はセットＩＤ）及びディスクユニークＩＤ２３０を、ユーザコンソール１１５からそれぞれ受信する。
【００２７】
ホストサーバ１３０は、ユーザＩＤに関連付けられたユーザデータベース１３５にアクセスし、受信したディスクユニークＩＤ２３０がユーザテーブル３１０中のディスクユニークＩＤと合致するか否かを決定する（ステップ５３０）。合致するものがあれば、ディスク１１０はそのユーザにより以前に再生されたものである。つづいて、アクセス許可がユーザコンソール１１５に送られる（ステップ５３５）。
【００２８】
しかし、ステップ５３０で、受信したディスクユニークＩＤ２３０が、ユーザテーブル３１０中のいずれのディスクユニークＩＤとも合致しない場合、ホストサーバ１３０は、受信したディスクユニークＩＤ２３０を、他のユーザのユーザテーブル中から検索する（ステップ５４０）。ホストサーバ１３０が合致するものを発見しない場合は、受信したディスクユニークＩＤ２３０に関連付けられたディスク１１０は、ユーザにより新たに購入され、まだ再生されていないものである。そのため、ディスクユニークＩＤ２３０がユーザテーブル３１０に記録される（ステップ５４５）。ディスクユニークＩＤ２３０は、さらに、ディスクデータベース１４０のディスクテーブル３２０に記録されてもよい。最後に、ホストサーバ１３０は、アクセス許可をユーザコンソール１１５に送信する（ステップ５３５）。
【００２９】
ステップ５４０で、ホストサーバ１３０が、受信したディスクユニークＩＤ２３０と合致するものを、他のユーザのユーザテーブル中のディスクユニークＩＤから発見した場合、他のユーザがディスク１１０を所有している。そのため、ホストサーバ１３０は、他のユーザのデータベースから他のユーザの所有者承諾データを含む所有者データを検索する（ステップ５５０）。他のユーザがディスク所有権の移転に同意していなかった場合は、ユーザはアクセスを拒否される（ステップ５６０）。しかし、他のユーザがディスク所有権の移転に同意していた場合、ホストサーバ１３０は、ユーザコンソール１１５に支払情報を送信する（ステップ５６５）。ステップ５７０で、ユーザがユーザへのディスク所有権の移転に課される支払額を受諾しない場合、ユーザはアクセスを拒否される（ステップ５６０）。しかし、ステップ５７０で、ユーザがユーザへのディスク所有権の移転に課される支払額を受諾した場合、ホストサーバ１３０は、支払処理を実行する（ステップ５７５）。
【００３０】
一般には、他のユーザが支払を受け取るが、支払取引は、ディスク１１０のコンテンツの開発主体又は発行主体に対する利用料又はライセンス料を含んでもよい。ディスク１１０が他のユーザから贈与された場合は、支払取引は利用料又はライセンス料のみを含んでもよい。
【００３１】
支払額は、ディスク１１０の価値を反映し、例えば、ディスク１１０に記録されたソフトウェアの人気又はディスク１１０が発行されてから経過した時間などに基づいてもよい。ホストサーバ１３０は、他のユーザのユーザテーブル中のディスクユニークＩＤを削除し（ステップ５８０）、ユーザのユーザテーブル３１０にディスクユニークＩＤ２３０を記録する（ステップ５４５）。最後に、ホストサーバ１３０は、アクセス許可をユーザコンソール１１５に送信する（ステップ５３５）。
【００３２】
以上、本発明が実施の形態を参照して説明された。他の実施の形態は、この開示を参考にして、当業者に理解される。そのため、実施の形態に対する他の変形例は、添付された特許請求の範囲によってのみ限定される本発明に包含されると解釈される。
【図面の簡単な説明】
【００３３】
【図１】本発明に係る電子処理システムの一形態のブロック図である。
【図２】本発明に係る図１のディスク記録媒体の一形態の図である。
【図３】図３（Ａ）は、本発明に係る図１のホストサーバにより管理されるユーザデータベースの一形態を示す図であり、図３（Ｂ）は、本発明に係る図１のホストサーバにより管理されるディスクデータベースの一形態を示す図である。
【図４】本発明の一形態に係るディスクのアクセス許可を取得するための方法の手順を示すフローチャートである。
【図５】本発明の一形態に係るディスクアクセス許可の取得及びディスク所有権の移転処理方法の手順を示すフローチャートである。
【図１】
2004530189.tif 000003
【図２】
2004530189.tif 000004
【図３】
2004530189.tif 000005
【図４】
2004530189.tif 000006
【図５】
2004530189.tif 000007
【国際公開パンフレット】
2004530189.tif 000008
2004530189.tif 000009
2004530189.tif 000010
2004530189.tif 000011
2004530189.tif 000012
2004530189.tif 000013
2004530189.tif 000014
2004530189.tif 000015
2004530189.tif 000016
2004530189.tif 000017
2004530189.tif 000018
2004530189.tif 000019
2004530189.tif 000020
2004530189.tif 000021
2004530189.tif 000022
2004530189.tif 000023
2004530189.tif 000024
2004530189.tif 000025
2004530189.tif 000026
2004530189.tif 000027
2004530189.tif 000028
2004530189.tif 000029
2004530189.tif 000030
【国際公開パンフレット（コレクトバージョン）】
2004530189.tif 000031
2004530189.tif 000032
【国際調査報告】
2004530189.tif 000033